(57)【特許請求の範囲】
【請求項１】
フィルタを通して吸い込んだ空気を吐出する送風機と、
この送風機から吐出された空気を装置外部へ導出する第１の空気通路と、
この第１の空気通路内にイオンを放出するイオン発生機と、
前記第１の空気通路において前記装置外部へ導出する方向の端部の底部に設けられた分岐孔と、
前記分岐孔を覆うように前記第１の空気通路の前記導出する方向とは反対方向へ向かって設けられた反転部と、
前記第１の空気通路に吐出され前記イオン発生機からイオンが放出された空気の一部を前記分岐孔および前記反転部を介して反転させた後に前記フィルタを介して前記送風機へ還流させる第２の空気通路と、
前記第１の空気通路の排出口を開閉するシャッタと、
を備えたことを特徴とする空気清浄装置。
【請求項２】
前記第１の空気通路の排出口に筒状のダクトを配設し、
前記シャッタを前記ダクト内に回動自在に支持し、
前記ダクト内に前記シャッタを所定の閉塞位置に停止させるストッパを設け、
前記ストッパは、前記シャッタの周部の全体に当接するように前記ダクトの内面から突設されている
ことを特徴とする請求項１記載の空気清浄装置。
【請求項３】
請求項１または２記載の空気清浄装置を、隣接する一対の遊技台の間に設けられた台間機内に収容し、前記台間機の正面板に前記第１の空気通路に吐出された空気を当該台間機の外部へ吹き出す吹出口を設けた
ことを特徴とする遊技装置。
【発明の詳細な説明】
【技術分野】
【０００１】
本発明は、遊技台が設置された遊技場において、タバコの煙、塵埃、雑菌等空気中に含まれる汚染物質を除去する空気清浄装置およびそれを使用した遊技装置に関するものである。
【背景技術】
【０００２】
従来の空気清浄装置としては、本体ケースのフロントカバーに設けられた吸入口と、この吸入口から流入する汚染空気に含まれる塵埃を除去するフィルタと、汚染空気を吸引するファンユニットと、汚染空気をマイナスイオン化して電極部に吸着させ、オゾンを発生させて汚染空気を浄化する空気清浄化ユニットとを備え、この空気清浄化ユニットによって清浄化された空気を排出口から排出させるものがある（例えば、特許文献１参照）。
【０００３】
しかしながら、特許文献１に記載されたような空気清浄装置においては、自浄作用がなく、フィルタには専ら汚染空気のみが通過する構造であるため、フィルタの交換期間が短くなってフィルタを頻繁に交換しなければならないという問題があった。また、汚染空気が通過するダクト内やファンユニットの内部には、塵埃やタバコのにおいの成分が付着し、排出口から排出される空気が悪臭を放つといった問題もあった。
【０００４】
そこで、本発明の出願人は、装置自体に自浄作用をもたせ、フィルタの交換期間を延ばすとともに、ダクト内や送風機内に付着した塵埃やタバコ等の臭いの成分を通過する空気によって分解することにより、長期間の使用による臭いの悪影響を軽減するような空気清浄装置を特許文献２によって提案している。
【先行技術文献】
【特許文献】
【０００５】
【特許文献１】特開２００８−２６４０５９号公報
【特許文献２】特願２０１０−０５０２１２号
【発明の概要】
【発明が解決しようとする課題】
【０００６】
特許文献２で提案された空気清浄装置においては、イオン発生機からイオンが放出された空気の一部のみをフィルタを介して送風機へ還流させる構造であるため、ダクト内や送風機内に付着した塵埃やタバコ等の臭いの成分の分解が必ずしも充分ではないといった問題があった。
【０００７】
本発明は上記した従来の問題に鑑みなされたものであり、その目的とするところは、必
要に応じてイオン発生機からイオンが放出された空気をフィルタを介して送風機へ還流
させることにより、装置自体の自浄作用を向上させ、フィルタの交換期間を延ばすことに
ある。また、ダクト内や送風機内に付着した塵埃やタバコ等の臭いの成分を通過する空気
によって分解することにより、長期間の使用による臭いの悪影響を軽減することにある。
【課題を解決するための手段】
【０００８】
この目的を達成するために、本発明は、フィルタを通して吸い込んだ空気を吐出する送風機と、この送風機から吐出された空気を装置外部へ導出する第１の空気通路と、この第１の空気通路内にイオンを放出するイオン発生機と、前記第１の空気通路の前記装置外部へ導出する方向の端部の底部に設けられた分岐孔と、前記分岐孔を覆うように前記第１の空気通路の前記方向とは対向する方向へ向かって設けられた反転部と、前記第１の空気通路に吐出され前記イオン発生機からイオンが放出された空気の一部を前記分岐孔および前記反転部を介して反転させた後に前記フィルタを介して前記送風機へ還流させる第２の空気通路と、前記第１の空気通路の排出口を開閉するシャッタとを備えたものである。
【０００９】
本発明は、前記発明において、前記第１の空気通路の排出口に筒状のダクトを配設し、前記シャッタを前記ダクト内に回動自在に支持し、前記ダクト内に前記シャッタを所定の閉塞位置に停止させるストッパを設け、前記ストッパは、前記シャッタの周部の全体に当接するように前記ダクトの内面から突設されているものである。
【００１０】
本発明は、請求項１または２に係る発明を、隣接する一対の遊技台の間に設けられた台間機内に収容し、前記台間機の正面板に前記第１の空気通路に吐出された空気を当該台間機の外部へ吹き出す吹出口を設けたものである。
【発明の効果】
【００１１】
本発明によれば、シャッタによって第１の空気通路の排出口を閉塞することにより、イオン発生機からイオンが放出された空気の全てをフィルタを介して送風機へ還流させることができるようになる。このため、装置自体の自浄作用が充分なものとなり、フィルタの交換期間を延ばすことや、ダクト内や送風機内に付着した塵埃やタバコ等の臭いの成分を通過する空気によって分解することにより、長期間の使用による臭いの悪影響を軽減することができる。
【００１２】
前記発明のうちの一つの発明によれば、シャッタによって第１の空気通路の排出口が閉塞されるとき、ストッパによってダクト内が密閉状態となるから、イオン発生機からイオンが放出された空気が排出口から装置外部は漏洩するようなことがない。このため、イオン発生機からイオンが放出された空気の全てをフィルタを介して送風機へ還流させることができるから、装置自体の自浄作用がより一層向上する。
【００１３】
前記発明のうちの一つの発明によれば、台間機の吹出口から吹き出される空気が遊技台の空気環境を境界部で仕切るエアーカーテンとして機能するため、隣接する遊技者にタバコの煙が流れることを規制することができる。
【図面の簡単な説明】
【００１４】
【図１】同図（Ａ）は本発明に係る空気清浄装置を使用した遊技装置の正面図、同図（Ｂ）は同図（Ａ）におけるI （Ｂ）部の拡大図である。
【図２】本発明に係る空気清浄装置の斜視図である。
【図３】本発明に係る空気清浄装置のシャッタユニットを取り外した状態の側面図である。
【図４】図３におけるIV-IV 線断面図である。
【図５】図６（Ｂ）におけるV-V 線で断面し、シャッタユニットを取り外した状態の斜視図である。
【図６】同図（Ａ）は同図（Ｂ）におけるV-V 線断面図でシャッタによって排出口が閉塞された状態を示し、同図（Ｂ）は本発明に係る空気清浄装置の正面図である。
【図７】図６（Ｂ）におけるV-V 線断面図で、シャッタによって排出口が開放された状態を示す。
【図８】本発明に係る空気清浄装置においてシャッタによって排出口が閉塞された状態を示し、同図（Ａ）は図６（Ａ）におけるVIII（Ａ）-VIII（Ａ） 線断面図、同図（Ｂ）はシャッタユニットの要部を拡大して示す正面図である。
【図９】本発明に係る空気清浄装置においてシャッタによって排出口が開放された状態を示し、同図（Ａ）は図７におけるIX（Ａ）-IX（Ａ） 線断面図、同図（Ｂ）はシャッタユニットの要部を拡大して示す正面図である。
【発明を実施するための形態】
【００１５】
以下、本発明の実施の形態を図１ないし図９に基づいて説明する。
【００１６】
図１（Ａ）に全体を符号１で示す遊技装置は、互いに隣接する遊技機としてのパチンコ台２，２と、これらパチンコ台２，２との間に設けられた台間機３とを備え、台間機３の正面板には、同図（Ｂ）に示すようにパネル４が取り付けられており、このパネル４に対応して台間機４の内部には、後述する本発明の空気清浄装置１１がブラケット（図示せず）を介して備えられている。このパネル４には、仕切壁６によって左右に分離された一対の吹出口５ａ，５ｂが図中上下方向に延在するようにスリット状に形成されており、これら吹出口５ａ，５ｂは、空気清浄装置１１の排出口２７ａ，２８ａのそれぞれに対応している。
【００１７】
次に、図２ないし図６を用いて、空気清浄装置１１について説明する。空気清浄装置１１は、図２および図５に示すように箱状に形成された筺体１２を備えており、この筺体１２内には、送風機としてのブロア１３を収容するブロア収容室１４と、このブロア収容室１４と矢印Ｂ方向に隣接し、イオン発生機１５を収容するイオン発生機収容室１６と、このイオン発生機収容室１６の下方（矢印Ｄ方向）に隣接する第１の空気通路としての第１のダクト１７とが形成されている。
【００１８】
このうち、ブロア収容室１４の矢印Ｅ方向側は、図２および図３に示すように筺体１２に一体に形成された側面壁１９によって覆われている。この側面壁１９のブロア１３に対応した部位には、上端にスリット状の開口を有するポケット部２０が形成されており、このポケット部２０の側面部には多数の吸込孔２０ａが設けられている。
【００１９】
また、この側面壁１９の下端部（矢印Ｄ方向の端部）には、後述する第２の空気通路としての第２のダクト３０に連通され第２のダクト３０内を還流する空気Ｗ３を筺体１２の外部に吐出する三つの吐出孔２１が設けられている。ポケット部２０には、フィルタ２２が上端の開口から挿抜自在に収容されており、このフィルタ２２によってブロア１３の吸入口１３ａが覆われている。
【００２０】
上記したイオン発生機収容室１６および第１のダクト１７の矢印Ｅ方向側は開口され、この開口はカバー２３によって覆われており、このカバー２３は、下端部（矢印Ｄ方向の端部）が筺体１２に枢支され、上端部が、図３に示すように筺体１２に一体に形成された爪２４に係合している。爪２４に係合したカバー２３によってイオン発生機収容室１６および第１のダクト１７の後述するイオン用ダクト２７が覆われる。一方、爪２４を弾性変形させながらカバー２３の上端部との係合を解除し、カバー２３を下端部を回動中心として回動させることにより、イオン発生機収容室１６およびイオン用ダクト２７が開放される。
【００２１】
ブロア１３は、吸入口１３ａと直交する方向（矢印Ｂ方向）に、当該吸入口１３ａから吸入した空気Ｗ１を吐出する吐出口１３ｂが設けられており、この吐出口１３ｂから吐出された空気Ｗ１は第１のダクト１７に導入される。
【００２２】
第１のダクト１７は、図５に示すように矢印Ａ−Ｂ方向に延在し、矢印Ａ−Ｂ方向の両端部が開口され、矢印Ａ方向の開口端部はブロア１３の吐出口１３ｂと対向し、仕切壁２６を挟んで矢印Ｅ−Ｆ方向に空気通路としての二つのイオン用ダクト２７，２８が設けられている。これらイオン用ダクト２７，２８の各矢印Ｂ方向の開口端部には、空気Ｗ２を排出する排出口２７ａ，２８ａが設けられている。
【００２３】
上記したイオン用ダクト２７，２８の各天井部には、図３に示すように上記したイオン発生機収容室１６に連通された孔２７ｂ，２８ｂが設けられており、イオン用ダクト２７，２８には、イオン発生機１５からのイオン３３，３４が供給されるように構成されている。
【００２４】
イオン用ダクト２７，２８の各矢印Ｂ方向の端部の底部には、図５および図６（Ａ）に示すように分岐孔２７ｃ，２８ｃ（一方の分岐孔２８ｃは図示せず）と、これら分岐孔２７ｃ，２８ｃを覆うように矢印Ａ方向に突設された反転部２７ｄ，２８ｄとが一体に設けられている。したがって、ブロア１３の吐出口１３ｂから各ダクト２７，２８内に吐出された空気Ｗ１は、一部の空気Ｗ３が反転部２７ｄ，２８ｄに当接することにより、これら反転部２７ｄ，２８ｄに沿って反転し、分岐孔２７ｃ，２８ｃを通過して後述する第２のダクト３０内を矢印Ａ方向に向かって流れる。
【００２５】
第１のダクト１７の下方には、矢印Ａ方向に延設された空気通路としての第２のダクト３０が設けられており、この第２のダクト３０の矢印Ｂ方向の端部は、分岐孔２７ｃ，２８ｃを介してイオン用ダクト２７，２８に連通されている。また、この第２のダクト３０の矢印Ａ方向の端部は、上記した三つの吐出口２１に連通されている。
【００２６】
このように構成された空気清浄装置１１は台間機３内に取り付けられると、図４に示すように台間機３とパチンコ台２とを仕切る仕切壁３ａとポケット部２０との間には、間隔Ｈなる隙間３１が形成される。
【００２７】
次に、図２および図６〜図９を用いて、シャッタユニット４０について説明する。シャッタユニット４０は、図２に示すように、矢印Ａ−Ｂ方向の両端部が開口された角筒状の排出用ダクト４１と、この排出用ダクト４１の天井部と底部との間に支架された軸４２に回動自在に支持されたシャッタ４３と、このシャッタ４３を所定の閉塞位置に位置付けるストッパとしてのリブ４４ａ，４４ｂと、シャッタ４３を回動させるロータリーソレノイド４５とを備えている。
【００２８】
排出用ダクト４１の矢印Ａ方向側端部には、図２に示すように各ダクト２７，２８の排出口２７ａ，２８ａ側端部（矢印Ｂ方向側端部）４６に着脱自在に嵌合する袴部４１ａが設けられている。この袴部４１ａの断面積は排出用ダクト４１の断面積よりもわずかに大きく形成されている。排出用ダクト４１の矢印Ｂ方向側端部には空気Ｗ２を排出する排出口４１ｂが設けられている。
【００２９】
シャッタ４３は、図８に示すように軸４２に回転自在に支持される円筒状の枢軸４３ａと、この枢軸４３ａの周部の円周方向に１８０°離れた部位から互いに反対方向に突設された一対の長方形の羽根４３ｂ，４３ｃとによって形成されている。リブ４４ａ，４４ｂは、図９に示すように排出用ダクト４１の枢軸４３ａを除く内周面に全体がコ字状を呈するように突設されている。したがって、後述するようにロータリーソレノイド４５をＯＮさせ、シャッタ４３を回動させると、シャッタ４３の羽根４３ｂ，４３ｃの周部の全体が、図８に示すようにリブ４４ａ，４４ｂに当接する。
【００３０】
ロータリーソレノイド４５は排出用ダクト４１の底部に取り付けられており、出力軸４５ａにシャッタ４３の枢軸４３ａが固定され、枢軸４３ａは出力軸４５ａと一体的に回動する。ロータリーソレノイド４５をＯＮにすると、出力軸４５ａが図８（Ａ）に示すように反時計方向に９０°回動するので、シャッタ４３の羽根４３ｂ，４３ｃがリブ４４ａ，４４ｂに当接し、各ダクト２７，２８の排出口２７ａ，２８ａが閉塞される。
【００３１】
一方、ロータリーソレノイド４５がＯＦＦになると、ロータリーソレノイド４５に内蔵した復帰用スプリング（図示せず）の付勢力によって、図９に示すように出力軸４５ａが時計方向に９０°回動するので、各ダクト２７，２８の排出口２７ａ，２８ａが開放される。このように構成されたシャッタユニット４０は、袴部４１ａを排出口２７ａ，２８ａ側端部４６に嵌合させることにより、排出用ダクト４１の排出口４１ｂが各ダクト２７，２８の排出口２７ａ，２８ａに連通されて空気清浄装置１１に取り付けられる。
【００３２】
次に、図３〜図９を用いて、このように構成された空気清浄装置１１によって空気を清浄させる動作について説明する。先ず、清浄された空気Ｗ２をシャッタユニット４０の排出口４１ｂから排出させる動作について説明する。この場合は、ロータリーソレノイド４５をＯＦＦとし、図９に示すように各ダクト２７，２８の排出口２７ａ，２８ａを開放しておく、
【００３３】
この状態で、ブロア１３を作動させると、図４における台間機３内の空気がポケット部２０の吸込孔２０ａからフィルタ２２を通過し、図３に示すように吸入口１３ａからブロア１３内に吸入され、吐出口１３ｂからイオン用ダクト２７，２８内に空気Ｗ１が吐出される。
【００３４】
イオン３３，３４が放出された空気Ｗ１は、これらイオン３３，３４によって塵埃やタバコ等の臭いの成分が分解されることにより、清浄された空気Ｗ２として、空気清浄装置１１の排出口２７ａ，２８ａを通り、さらにシャッタユニット４０の排出口４１ｂを通って台間機３の吹出口５ａ，５ｂから吹き出される。このように、台間機３の吹出口５ａ，５ｂから吹き出される空気Ｗ２がパチンコ台２の空気環境を境界部で仕切るエアーカーテンとして機能するため、隣接する遊技者にタバコの煙が流れることを規制することができる。
【００３５】
一方、空気Ｗ２の一部の空気Ｗ３は、図５に示すように反転部２７ｄ，２８ｄに当接し、分岐孔２７ｃ，２８ｃを介して第２のダクト３０内に流入する。この第２のダクト３０内に流入した空気Ｗ３は、第２のダクト３０内を矢印Ａ方向に導かれ、図３に示すように側面壁１９の吐出口２１から仕切壁３ａとポケット部２０との間の隙間３１に放出される。
【００３６】
隙間３１に放出された空気Ｗ３は、台間機３内の空気といっしょに、再びポケット部２０の吸込孔２０ａからフィルタ２２を通過して、吸入口１３ａからブロア１３内に吸入されることによりブロア１３内に還流される。このように、装置自体に自浄作用をもたせ、フィルタ２２の交換期間を延ばすことができる。また、ブロア１３内に空気Ｗ３が還流されることにより、イオン３３，３４によって、清掃が困難なブロア１３内に付着した塵埃やタバコ等の臭いの成分を分解することにより、長期間の使用による臭いの悪影響を軽減することができる。
【００３７】
ここで、装置自体の自浄作用がより必要とする場合は、遊技店の営業が終了した時点でロータリーソレノイド４５をＯＮとし、図８に示すように各ダクト２７，２８の排出口２７ａ，２８ａをシャッタ３の羽根４３ｂ，４３ｃによって閉塞する。したがって、ブロア１３の吐出口１３ｂから吐出され、イオン用ダクト２７，２８内でイオン３３，３４が放出された空気Ｗ２は、図６（Ａ）に示すようにシャッタ４３によって排出口４１ｂから外部に排出されることなく、全ての空気Ｗ２が空気Ｗ３として分岐孔２７ｃ，２８ｃを介して第２のダクト３０内に流入する。
【００３８】
このため、この還流する空気Ｗ３の量が増えるため、ブロア１３内に付着した塵埃やタバコ等の臭いの成分を分解する力が増大するので、フィルタ２２の交換期間をより確実に延ばすことができるとともに、長期間の使用による臭いの悪影響もより確実に軽減することができる。
【００３９】
また、排出口２７ａ，２８ａを閉塞したシャッタ３の羽根４３ｂ，４３ｃは、図８に示すようにリブ４４ａ，４４ｂに周部の全てが当接するから、リブ４４ａ，４４ｂによって排出用ダクト４１内が密閉状態となるから、空気Ｗ２が排出口４１ｂから装置外部へ漏洩するようなことがない。このため、空気Ｗ２の全てを確実に第２のダクト３０内へ導き、フィルタ２２を介してブロア１３へ還流させることができるから、装置自体の自浄作用がより一層向上する。
【００４０】
なお、本実施の形態においては、装置自体の自浄作用がより必要な場合、遊技店の営業が終了した時点で行うようにしたが、営業を開始する前に行ってもよく、ボタン操作によって、ＯＮ、ＯＦＦするようにしてもよく、また、タイマーによって自動的にＯＦＦさせるようにしてもよく、種々の設計変更が可能である。また、シャッタユニット４０を直接各ダクト２７，２８の排出口２７ａ，２８ａ側端部４６に取り付けるようにしたが、空気清浄装置１１を台間機３に取り付けるブラケット（図示せず）を介して排出口２７ａ，２８ａ側端部４６に配設するようにしてもよい。
【符号の説明】
【００４１】
１…遊技装置、２…パチンコ台（遊技機）、３…台間機、５ａ，５ｂ…吹出口、１１…空気清浄装置、１３…ブロア（送風機）、１５…イオン発生機、１７…第１のダクト、２１…吐出口、２２…フィルタ、２７，２８…イオン用ダクト、２７ａ，２８ａ…排出口、２７ｂ，２８ｂ…分岐孔、３０…第２のダクト、３３，３４…イオン、Ｗ１，Ｗ２，Ｗ３…空気、４０…シャッタユニット、４１…排出用ダクト、４１ａ…鍔、４１ｂ…排出口、４３…シャッタ、４３ｂ，４３ｃ…羽根、４４ａ，４４ｂ…リブ（ストッパ）、４５…ロータリーソレノイド。
【図１】
0005750986.tif 000002
【図２】
0005750986.tif 000003
【図３】
0005750986.tif 000004
【図４】
0005750986.tif 000005
【図５】
0005750986.tif 000006
【図６】
0005750986.tif 000007
【図７】
0005750986.tif 000008
【図８】
0005750986.tif 000009
【図９】
0005750986.tif 000010